(57)【要約】【課題】伸縮性及び防水性に優れ、施工も容易で安価な屋根パネル用継手部材及びそれを使用した屋根パネルの施工方法を提供する。【解決手段】屋根パネル用継手部材１０は、帯板状の耐候性シートＡを短辺方向に折り曲げて「く」又は「つ」字状の断面とし、屋根パネルの側縁部に沿って設置される第一継手片１１、１２と、帯板状の耐候性シートＢを短辺方向に折り曲げて「く」又は「つ」字状の断面とし、屋根パネルの上縁部又は下縁部に沿って設置される第二継手片１５、１６と、矩形状の耐候性シートＣを長辺方向に２回折り返して３重とし、さらに該耐候性シートＣの短辺方向に折り曲げた形状とされ、第一継手片１１、１２の長手方向端部が該耐候性シートＣの短辺１９ａ、１９ｂに接合され、第二継手片１５、１６の長手方向端部が該耐候性シートＣの長辺１９ｃ、１９ｄに接合される接合片１９とから構成される。【選択図】図１
2011184861.tif 000002
【特許請求の範囲】
【請求項１】
帯板状の耐候性シートＡを短辺方向に折り曲げて「く」又は「つ」字状の断面とし、屋根パネルの側縁部に沿って設置される第一継手片と、帯板状の耐候性シートＢを短辺方向に折り曲げて「く」又は「つ」字状の断面とし、屋根パネルの上縁部又は下縁部に沿って設置される第二継手片と、矩形状の耐候性シートＣを長辺方向に２回折り返して３重とし、さらに該耐候性シートＣの短辺方向に折り曲げた形状とされ、前記第一継手片の長手方向端部が該耐候性シートＣの短辺に接合され、前記第二継手片の長手方向端部が該耐候性シートＣの長辺に接合される接合片とを有することを特徴とする屋根パネル用継手部材。
【請求項２】
請求項１記載の屋根パネル用継手部材において、前記耐候性シートＡ、Ｂ、Ｃは、フッ素樹脂シートであることを特徴とする屋根パネル用継手部材。
【請求項３】
請求項１又は２記載の屋根パネル用継手部材を使用して、屋根面の一側方から他側方に向けて屋根パネルを設置すると共に、前記屋根面の下流から上流に向けて屋根パネルを設置する屋根パネルの施工方法であって、
既に設置した既設屋根パネルの他側方がわの上角部に前記接合片を固着する第一工程と、
前記既設屋根パネルの他側方がわ縁部に、他側方がわが凸となるように前記第一継手片を設置して該第一継手片の長手方向端部を前記接合片に接合した後、前記既設屋根パネルの他側方がわに隣接して設置される第１の新設屋根パネルの一側方がわ縁部の裏面に前記第一継手片及び前記接合片を固着して該第１の新設屋根パネルを設置する第二工程と、
前記既設屋根パネルの上縁部に、上流がわが凸となるように前記第二継手片を設置して該第二継手片の長手方向端部を前記接合片に接合した後、前記既設屋根パネルの上流がわに隣接して設置される第２の新設屋根パネルの下縁部の裏面に前記第二継手片及び前記接合片を固着して該第２の新設屋根パネルを設置する第三工程とを備えることを特徴とする屋根パネルの施工方法。
【発明の詳細な説明】
【技術分野】
【０００１】
本発明は、屋根パネルの継手部に使用される屋根パネル用継手部材、及びそれを使用した屋根パネルの施工方法に関する。
【背景技術】
【０００２】
図１１は、従来の施工方法によって施工された屋根パネル継手部の断面を示したものである（例えば、特許文献１参照）。矩形状の屋根パネル５０、５１の左縁部及び下縁部は裏面側に折り曲げられて引掛部５５とされ、屋根パネル５０、５１の右縁部及び上縁部は表面側に折り曲げられて被引掛部５６とされている。左側もしくは下側に配置した屋根パネル５１の被引掛部５６に、一方の端部が裏面側に折れ曲がった吊り子５２の当該端部を挿入し、吊り子５２の他方の端部をビス５３で野地板５４に固定する。そして、屋根パネル５１の右側もしくは上側に配置する屋根パネル５０の引掛部５５を屋根パネル５１の被引掛部５６に挿入する。
【先行技術文献】
【特許文献】
【０００３】
【特許文献１】特開平１０−２５８５９号公報
【発明の概要】
【発明が解決しようとする課題】
【０００４】
上記屋根パネル継手部は施工性に優れているが、強風時に継手部から雨水が浸入し、完全な防水性能を確保することができないという問題がある。そのため、シーリング材を継手部に挟み込み、リベットなどの接合具で機械的に繋ぎ合わせることが行われていたが、経年劣化でシーリング材の性能が劣化し、僅かな期間しか防水機能を維持できなかった。
【０００５】
そこで、現在では、上記継手部を設けず、長尺の屋根パネルによる施工法が多用されている。しかし、運搬費用が掛かるだけでなく、大型重機が必要になると共に、施工時に大勢の人手が必要になるという問題がある。また、太陽の輻射熱により屋根パネルが伸縮する際、大きな音が発生するなどの問題もある。
加えて、屋根の一部補修や改修時などの時点で、長尺材料を搬入できない環境になっていることが多く、対応策が無いため、短期的な防水性能を有する図１１に示すような方法を採用せざるを得ないという現状がある。
【０００６】
本発明はかかる事情に鑑みてなされたもので、伸縮性及び防水性に優れ、施工も容易で安価な屋根パネル用継手部材及びそれを使用した屋根パネルの施工方法を提供することを目的とする。
【課題を解決するための手段】
【０００７】
上記目的を達成するため、本発明に係る屋根パネル用継手部材は、帯板状の耐候性シートＡを短辺方向に折り曲げて「く」又は「つ」字状の断面とし、屋根パネルの側縁部に沿って設置される第一継手片と、帯板状の耐候性シートＢを短辺方向に折り曲げて「く」又は「つ」字状の断面とし、屋根パネルの上縁部又は下縁部に沿って設置される第二継手片と、矩形状の耐候性シートＣを長辺方向に２回折り返して３重とし、さらに該耐候性シートＣの短辺方向に折り曲げた形状とされ、前記第一継手片の長手方向端部が該耐候性シートＣの短辺に接合され、前記第二継手片の長手方向端部が該耐候性シートＣの長辺に接合される接合片とを有することを特徴としている。
【０００８】
ここで、耐候性シートを短辺方向に折り曲げるとは、耐候性シートの長辺と平行な折り曲げ線を該耐候性シート内に想定し、該折り曲げ線に沿って該耐候性シートを折り曲げることである。同様に、耐候性シートを長辺方向に折り曲げるとは、耐候性シートの短辺と平行な折り曲げ線を該耐候性シート内に想定し、該折り曲げ線に沿って該耐候性シートを折り曲げることである。
【０００９】
なお、前記耐候性シートＡ、Ｂ、Ｃは、耐紫外線特性や耐熱性、耐食性などに優れるフッ素樹脂シートであることが好ましい。
【００１０】
また、本発明に係る屋根パネルの施工方法は、本発明に係る屋根パネル用継手部材を使用して、屋根面の一側方から他側方に向けて屋根パネルを設置すると共に、前記屋根面の下流から上流に向けて屋根パネルを設置する屋根パネルの施工方法であって、既に設置した既設屋根パネルの他側方がわの上角部に前記接合片を固着する第一工程と、前記既設屋根パネルの他側方がわ縁部に、他側方がわが凸となるように前記第一継手片を設置して該第一継手片の長手方向端部を前記接合片に接合した後、前記既設屋根パネルの他側方がわに隣接して設置される第１の新設屋根パネルの一側方がわ縁部の裏面に前記第一継手片及び前記接合片を固着して該第１の新設屋根パネルを設置する第二工程と、前記既設屋根パネルの上縁部に、上流がわが凸となるように前記第二継手片を設置して該第二継手片の長手方向端部を前記接合片に接合した後、前記既設屋根パネルの上流がわに隣接して設置される第２の新設屋根パネルの下縁部の裏面に前記第二継手片及び前記接合片を固着して該第２の新設屋根パネルを設置する第三工程とを備えることを特徴としている。
ここで、「裏面」とは、外部に露出する屋根パネルの面を「表面」としたとき、表面と反対がわの面のことである。
【００１１】
本発明では、耐久性に優れる耐候性シートを折り曲げて形成した第一継手片、第二継手片、及び接合片を有する屋根パネル用継手部材を使用することにより、屋根パネル用継手部材の折り曲げ部位で屋根パネルの伸縮を吸収することができる。そのため、屋根パネル用継手部材が劣化せず、継手部の防水機能が損なわれることがない。加えて、特殊な固定具を必要としないので、施工も容易でコストも掛からない。
【００１２】
屋根パネルの施工に当たっては、伸縮性及び耐久性に富む第一継手片を屋根パネルの側縁部に沿って設置して側方に隣接する屋根パネル同士を連結すると共に、伸縮性及び耐久性に富む第二継手片を屋根パネルの上縁部又は下縁部に沿って設置して屋根の傾斜方向に隣接する屋根パネル同士を連結する。また、第一継手片と第二継手片とは、伸縮性及び耐久性に富む接合片を介して接合する。
【発明の効果】
【００１３】
本発明では、耐久性に優れる耐候性シートを折り曲げて形成した第一継手片、第二継手片、及び接合片を有する屋根パネル用継手部材を使用することにより、屋根パネル用継手部材の折り曲げ部位で屋根パネルの伸縮を吸収すると共に、特殊な固定具を必要としない。また、屋根パネルの施工に当たっては、伸縮性及び耐久性に富む第一継手片及び第二継手片を屋根パネルの周縁部に設置し、伸縮性及び耐久性に富む接合片を介して第一継手片と第二継手片とを接合するようにしている。その結果、伸縮性及び防水性に優れた屋根パネルの継手部を、手間を掛けずに安価に実現することができる。
【図面の簡単な説明】
【００１４】
【図１】本発明の一実施の形態に係る屋根パネル用継手部材の分解斜視図である。
【図２】使用時の同屋根パネル用継手部材の平面図である。
【図３】（Ａ）は図２のＸ１−Ｘ１、Ｘ３−Ｘ３矢視断面図、（Ｂ）は図２のＸ２−Ｘ２矢視断面図、（Ｃ）は図２のＹ１−Ｙ１、Ｙ３−Ｙ３矢視断面図、（Ｄ）は図２のＹ２−Ｙ２矢視断面図である。
【図４】同屋根パネル用継手部材を用いて施工された屋根の部分平面図である。
【図５】（Ａ）は図４のＡ−Ａ、Ｃ−Ｃ矢視断面図、（Ｂ）は図４のＢ−Ｂ矢視断面図、（Ｃ）は図４のＤ−Ｄ、Ｆ−Ｆ矢視断面図、（Ｄ）は図４のＥ−Ｅ矢視断面図である。
【図６】本発明の一実施の形態に係る屋根パネル施工方法を説明するための模式図である。
【図７】同屋根パネル施工方法を説明するための模式図である。
【図８】同屋根パネル施工方法を説明するための模式図である。
【図９】同屋根パネル施工方法を説明するための模式図である。
【図１０】屋根パネルが折板である場合の施工例を示した斜視図である。
【図１１】従来の施工方法によって施工された屋根パネル継手部の断面図である。
【発明を実施するための形態】
【００１５】
続いて、添付した図面を参照しつつ、本発明を具体化した実施の形態に付き説明し、本発明の理解に供する。なお、以下の説明では、屋根面に対して左から右に向けて屋根パネルを張り付けていくと共に、屋根面の下流から上流に向けて屋根パネルを張り付けていくものとして説明する。また、屋根パネル用継手部材を構成する第一継手片、第二継手片、及び接合片については、谷折りとなる面を「内面」、山折りとなる面を「外面」と呼ぶことにする。さらにまた、屋根パネル用継手部材や屋根パネルの位置関係については、屋根面に向かって手前がわを「前がわ」、屋根面に近いがわを「奥がわ」と呼ぶことにする。
【００１６】
本発明の一実施の形態に係る屋根パネル用継手部材１０の分解斜視図を図１に、使用時の屋根パネル用継手部材１０の平面図及び断面図を図２、図３（Ａ）〜（Ｄ）に示す。
屋根パネル用継手部材１０は、それぞれ帯板状の耐候性シートを折り曲げて形成した第一継手片１１、１２及び第二継手片１５、１６と、矩形状の耐候性シートを折り曲げて形成した接合片１９とから構成される。耐候性シートは、耐久性に優れる薄いシートであり、例えば、厚さ０．０５ｍｍ〜１ｍｍ（好ましくは０．１ｍｍ〜０．５ｍｍ）のＰＴＦＥ、ＥＴＦＥ、ＰＦＥなどのフッ素樹脂シートを用いることができる。
【００１７】
なお、耐候性シートにフッ素樹脂シートを用いる場合、フッ素樹脂シートが他の材料との接着性に欠けるため、フッ素樹脂シートの表面を改質しておく必要がある。例えば、金属ナトリウムをアンモニア水に溶解した溶液中にフッ素樹脂シートを浸漬して、その表面に親水基を導入することによって活性化する方法や、フッ素樹脂シートに１．５〜２５Ｐａの圧力下でプラズマ照射処理を施すことにより表面改質する技術が知られている。
【００１８】
第一継手片１１、１２及び第二継手片１５、１６は、それぞれ帯板状の耐候性シートを短辺方向に２つ折りにして「く」又は「つ」字状の断面としたものである。即ち、折り曲げ部分に折り目があっても無くても良い。一方、接合片１９は、短辺が上下に位置するように載置した矩形状の耐候性シートの下１／３を内面がわに折ると共に、上１／３を外面がわに折って「Ｚ」字状の断面とした後、さらに耐候性シートの短辺方向に２つ折りにしたものである。
第一継手片１１、１２の長手方向端部は接合片１９の短辺１９ａ、１９ｂに接着剤で固着され、第二継手片１５、１６の長手方向端部は接合片１９の長辺１９ｃ、１９ｄに接着剤で固着される。図３に示された黒丸は、第一継手片１１、１２又は第二継手片１５、１６と接合片１９との接合箇所を示している。接着剤は防水性及び耐久性に優れたものが良く、例えばシリコン接着剤などを用いることができる。
【００１９】
図４及び図５は、屋根パネル用継手部材１０を用いて施工された屋根の一部を示したものである。なお、図５では、屋根パネル用継手部材１０と屋根パネル２３、２４、２５、２６との位置関係が理解できるように、屋根パネルの厚さ方向に幅を持たせて描いている。このため、（Ａ）〜（Ｄ）で屋根パネル間の距離が異なったものとなっている。また、図５に示された黒丸は、第一継手片１１、１２又は第二継手片１５、１６と接合片１９との接合箇所を示している。
本実施の形態では、屋根パネル２３、２４、２５、２６は金属製の矩形板とされ、各屋根パネル２３、２４、２５、２６は、周縁部がラップするように配置される。即ち、屋根パネル２３、２５の右側縁部の前に屋根パネル２４、２６の左側縁部が配置され、屋根パネル２３、２４の上縁部の前に屋根パネル２５、２６の下縁部が配置される。
【００２０】
各屋根パネル２３、２４、２５、２６の伸縮を吸収すると共に、屋根パネル２３、２４、２５、２６の継目部から雨水が屋内に浸入しないようにするため、各屋根パネル２３、２４、２５、２６の継目部に沿って屋根パネル用継手部材１０が設置される。施工された屋根を平面視すると、屋根パネル用継手部材１０は、屋根パネル２４、２５、２６によって隠れた状態となる（図４参照）。
なお、屋根パネル用継手部材１０を屋根パネル２３、２４、２５、２６に固着する接着剤は、防水性及び耐久性に優れたものが良く、例えばシリコン接着剤などを用いることができる。
【００２１】
接合片１９は、右がわが凸となるように、且つ短辺１９ｂが屋根パネル２３の上縁部に沿うように屋根パネル２３の右上角部の上に配置され、接着剤で固着される。
また、第一継手片１１、１２は、右がわが凸となるように屋根パネル２３、２５の右側縁部及び屋根パネル２４、２６の左側縁部に沿って配置され、第一継手片１１、１２の奥がわの左縁部１１ｄ、１２ｄが屋根パネル２３、２５に、第一継手片１１、１２の前がわの左縁部１１ｕ、１２ｕが屋根パネル２４、２６にそれぞれ接着剤で固着される。その際、接着剤は、第一継手片１１、１２の外面に塗布する（図５（Ａ）の接着部２７参照）。第一継手片１１、１２の上下端部（長手方向端部）は、それぞれ接合片１９の短辺１９ａ、１９ｂに接着剤で固着される（図５（Ｄ）の黒丸参照）。
一方、第二継手片１５、１６は、上がわが凸となるように屋根パネル２３、２４の上縁部及び屋根パネル２５、２６の下縁部に沿って配置され、第二継手片１５、１６の奥がわの下縁部１５ｄ、１６ｄが屋根パネル２３、２４に、第二継手片１５、１６の前がわの下縁部１５ｕ、１６ｕが屋根パネル２５、２６にそれぞれ接着剤で固着される。その際、接着剤は、第二継手片１５、１６の外面に塗布する（図５（Ｃ）の接着部２７参照）。第二継手片１５、１６の左右端部（長手方向端部）は、それぞれ接合片１９の長辺１９ｃ、１９ｄ（上１／３を除く範囲）に接着剤で固着される（図５（Ｂ）の黒丸参照）。なお、第二継手片１６については、図５（Ｂ）に示すように、接合片１９との接合位置の近傍で折り返した状態で使用される。
【００２２】
次に、上記屋根パネル用継手部材１０を使用した屋根パネルの施工方法について図６〜図９を用いて説明する。なお、屋根パネルは金属製の矩形板とする。
（１）張り始めの屋根パネル２３を屋根面３０の左下隅に載置し、屋根パネル２３の左側方と下方に唐草の巻き込み代を残し、屋根パネル２３を屋根面３０に固定する（図６（１）参照）。唐草は、屋根の見切れの部分に使用される部品であり、風などで屋根パネルが剥がされたりするのを防いだり、屋根からの雨水の水切れを良くする機能を有している。
（２）右がわを凸とし、且つ短辺１９ｂが屋根パネル２３の上縁部に沿うように、接合片１９を屋根パネル２３の右上角部に配置し接着剤で固着する（図６（２）参照）。その際、接合片１９の奥がわの左縁部と下縁部のみ屋根パネル２３に固着するように接着剤を塗布する。
（３）右がわを凸とし、且つ凸部が屋根パネル２３の右側縁部に沿うように、第一継手片１１を屋根パネル２３の右側縁部に配置し、第一継手片１１の奥がわの左縁部１１ｄを屋根パネル２３に接着剤で固着する（図６（３）参照）。第一継手片１１の上端部は、接合片１９の短辺１９ａに接着剤で固着する。
また、上がわを凸とし、且つ凸部が屋根パネル２３の上縁部に沿うように、第二継手片１５を屋根パネル２３の上縁部に配置し、第二継手片１５の奥がわの下縁部１５ｄを屋根パネル２３に接着剤で固着する（図６（３）参照）。第二継手片１５の右端部は、接合片１９の長辺１９ｃに接着剤で固着する。
【００２３】
（４）第一継手片１１の前がわの左縁部１１ｕ及び接合片１９の最外面の左縁部１９ｕ（図５（Ｂ）参照）に接着剤を塗布した後、屋根パネル２４の左縁部が第一継手片１１及び接合片１９の前に位置するように屋根パネル２４を配置し、第一継手片１１及び接合片１９を屋根パネル２４の左縁部の裏面に固着する（図７（４）参照）。
（５）接合片１９と同様の手順により、接合片１９と同一形状の接合片２０を屋根パネル２４の右上角部に配置し接着剤で固着する（図７（５）参照）。
（６）右がわを凸とし、且つ凸部が屋根パネル２４の右側縁部に沿うように、第一継手片１３を屋根パネル２４の右側縁部に配置し、第一継手片１１と同一形状の第一継手片１３の奥がわの左縁部を屋根パネル２４に接着剤で固着する（図７（６）参照）。第一継手片１３の上端部は、接合片２０の短辺２０ａに接着剤で固着する。
また、上がわが凸となった第二継手片１６の右端部を接合片１９の長辺１９ｄに接着剤で固着した後、第二継手片１６を右側に折り返して、凸部が屋根パネル２４の上縁部に沿うように、第二継手片１６を屋根パネル２４の上縁部に配置し、第二継手片１６の奥がわの下縁部１６ｄを屋根パネル２４に接着剤で固着する（図７（６）参照）。第二継手片１６の右端部（折り返し前の左端部）は、接合片２０の長辺２０ｃに接着剤で固着する。
【００２４】
引き続き、（４）〜（６）と同様の手順により、さらに右がわの屋根パネルを屋根面３０に張り付けていく。
【００２５】
（７）第二継手片１５の前がわの下縁部１５ｕに接着剤を塗布した後、屋根パネル２５の下縁部が第二継手片１５の前に位置するように屋根パネル２５を配置し、第二継手片１５を屋根パネル２５の裏面に固着する（図８（７）参照）。屋根パネル２５の右下角部は接合片１９内に挿入する（図５（Ｂ）、（Ｄ）参照）。
（８）接合片１９と同様の手順により、接合片１９と同一形状の接合片２１を屋根パネル２５の右上角部に配置し接着剤で固着する（図８（８）参照）。
（９）右がわを凸とし、且つ凸部が屋根パネル２５の右側縁部に沿うように、第一継手片１２を屋根パネル２５の右側縁部に配置し、第一継手片１２の奥がわの左縁部１２ｄを屋根パネル２５に接着剤で固着する（図８（９）参照）。第一継手片１２の上端部は接合片２１の短辺２１ａに、第一継手片１２の下端部は接合片１９の短辺１９ｂにそれぞれ接着剤で固着する。
また、第二継手片１５と同様の手順により、第二継手片１５と同一形状の第二継手片１７の右端部を接合片２１の長辺２１ｃに接着剤で固着する（図８（９）参照）。
【００２６】
（１０）第一継手片１２の前がわの左縁部１２ｕ及び第二継手片１６の前がわの下縁部１６ｕに接着剤を塗布した後、屋根パネル２６の左縁部が第一継手片１２の前かつ屋根パネル２６の下縁部が第二継手片１６の前に位置するように屋根パネル２６を配置し、第一継手片１２及び第二継手片１６を屋根パネル２６の裏面に固着する（図９（１０）参照）。屋根パネル２５と同様、屋根パネル２６の右下角部は接合片２０内に挿入する。
（１１）接合片１９と同様の手順により、接合片１９と同一形状の接合片２２を屋根パネル２６の右上角部に配置し接着剤で固着する（図９（１１）参照）。
（１２）第一継手片１２と同様の手順により、第一継手片１２と同一形状の第一継手片１４を屋根パネル２６の右縁部に沿って固着し、第一継手片１４の上下端部を接合片２２、２０にそれぞれ接着剤で固着する（図９（１２）参照）。
また、第二継手片１６と同様の手順により、第二継手片１６と同一形状の第二継手片１８を屋根パネル２６の上縁部に沿って固着し、第二継手片１８の左右端部を接合片２１、２２にそれぞれ接着剤で固着する（図９（１２）参照）。
【００２７】
引き続き、（１０）〜（１２）と同様の手順により、さらに右がわの屋根パネルを屋根面３０に張り付けていく。さらに上流がわの屋根パネルについては、（７）〜（１２）の手順を繰り返せばよい。
【００２８】
なお、屋根面３０に対して右から左に向けて屋根パネルを張り付けていく場合は、左右が逆になるだけで上記施工方法と基本的に同様の手順となる。
【００２９】
屋根パネル用継手部材１０を使用した屋根パネルの施工方法による主要な効果を以下に列記する。
（１）簡単な作業で継目部の完全な防水性能を確保することができる。
（２）屋根パネル用継手部材が劣化しないため、屋根パネル用継手部材を交換する必要がない。
（３）施工が容易なため、短時間作業を要求される現場作業に適している。
【００３０】
（４）資材の運搬や揚重に要する装置が小型で済む。
（５）屋根パネルを張り始める位置や途中で中断する位置を自由に設定できる。
（６）施工後の補修も小規模な設備と人員で実施できる。
【００３１】
なお、屋根パネル用継手部材１０は矩形状の屋根パネルの継手部に限定されるものではなく、柔軟性があるため、図１０に示すように、折板３１の継手部にも使用することができる。
【００３２】
以上、本発明の一実施の形態について説明してきたが、本発明は何ら上記した実施の形態に記載の構成に限定されるものではなく、特許請求の範囲に記載されている事項の範囲内で考えられるその他の実施の形態や変形例も含むものである。例えば、上記実施の形態では、接合片の周縁部をシングルとしたが、接合片の周縁部を補強するために、周縁部を折り曲げて周縁部のみ２重にしてもよい。
【符号の説明】
【００３３】
１０：屋根パネル用継手部材、１１、１２、１３、１４：第一継手片、１１ｕ、１１ｄ、１２ｕ、１２ｄ、１９ｕ：左縁部、１５、１６、１７、１８：第二継手片、１５ｕ、１５ｄ、１６ｕ、１６ｄ：下縁部、１９、２０、２１、２２：接合片、１９ａ、１９ｂ、２０ａ、２１ａ：短辺、１９ｃ、１９ｄ、２０ｃ、２１ｃ：長辺、２３、２４、２５、２６：屋根パネル、２７：接着部、３０：屋根面、３１：折板
【図１】
2011184861.tif 000003
【図２】
2011184861.tif 000004
【図３】
2011184861.tif 000005
【図４】
2011184861.tif 000006
【図５】
2011184861.tif 000007
【図６】
2011184861.tif 000008
【図７】
2011184861.tif 000009
【図８】
2011184861.tif 000010
【図９】
2011184861.tif 000011
【図１０】
2011184861.tif 000012
【図１１】
2011184861.tif 000013
【手続補正書】
【提出日】平成22年6月1日(2010.6.1)
【手続補正１】
【補正対象書類名】特許請求の範囲
【補正対象項目名】全文
【補正方法】変更
【補正の内容】
【特許請求の範囲】
【請求項１】
屋根面の一側方から他側方に向けて屋根パネルを設置すると共に、前記屋根面の下流から上流に向けて屋根パネルを設置する際に使用される屋根パネル用継手部材であって、
（１）帯板状の耐候性シートＡを短辺方向に折り曲げて「く」又は「つ」字状の断面とし、既に設置した既設屋根パネルの他側方がわ縁部の表面と、前記既設屋根パネルの他側方がわに隣接して設置される第１の新設屋根パネルの一側方がわ縁部の裏面との間に、他側方がわが凸となるように設置される第一継手片と、
（２）帯板状の耐候性シートＢを短辺方向に折り曲げて「く」又は「つ」字状の断面とし、前記既設屋根パネルの上縁部の表面と、前記既設屋根パネルの上流がわに隣接して設置される第２の新設屋根パネルの下縁部の裏面との間に、上流がわが凸となるように設置される第二継手片と、
（３）矩形状の耐候性シートＣを長辺方向に２回折り返して３重とし、さらに該耐候性シートＣの短辺方向に折り曲げた形状とされ、前記第一継手片の長手方向端部が該耐候性シートＣの短辺に接合され、前記第二継手片の長手方向端部が該耐候性シートＣの長辺に接合される接合片とを有することを特徴とする屋根パネル用継手部材。
【請求項２】
請求項１記載の屋根パネル用継手部材において、前記耐候性シートＡ、Ｂ、Ｃは、フッ素樹脂シートであることを特徴とする屋根パネル用継手部材。
【請求項３】
請求項１又は２記載の屋根パネル用継手部材を使用して、屋根面の一側方から他側方に向けて屋根パネルを設置すると共に、前記屋根面の下流から上流に向けて屋根パネルを設置する屋根パネルの施工方法であって、
既に設置した既設屋根パネルの他側方がわの上角部に前記接合片を固着する第一工程と、
前記既設屋根パネルの他側方がわ縁部の表面に、他側方がわが凸となるように前記第一継手片を設置して該第一継手片の長手方向端部を前記接合片に接合した後、前記既設屋根パネルの他側方がわに隣接して設置される第１の新設屋根パネルの一側方がわ縁部の裏面に前記第一継手片及び前記接合片を固着して該第１の新設屋根パネルを設置する第二工程と、
前記既設屋根パネルの上縁部の表面に、上流がわが凸となるように前記第二継手片を設置して該第二継手片の長手方向端部を前記接合片に接合した後、前記既設屋根パネルの上流がわに隣接して設置される第２の新設屋根パネルの下縁部の裏面に前記第二継手片及び前記接合片を固着して該第２の新設屋根パネルを設置する第三工程とを備えることを特徴とする屋根パネルの施工方法。
【手続補正２】
【補正対象書類名】明細書
【補正対象項目名】０００７
【補正方法】変更
【補正の内容】
【０００７】
上記目的を達成するため、本発明に係る屋根パネル用継手部材は、屋根面の一側方から他側方に向けて屋根パネルを設置すると共に、前記屋根面の下流から上流に向けて屋根パネルを設置する際に使用される屋根パネル用継手部材であって、
（１）帯板状の耐候性シートＡを短辺方向に折り曲げて「く」又は「つ」字状の断面とし、既に設置した既設屋根パネルの他側方がわ縁部の表面と、前記既設屋根パネルの他側方がわに隣接して設置される第１の新設屋根パネルの一側方がわ縁部の裏面との間に、他側方がわが凸となるように設置される第一継手片と、
（２）帯板状の耐候性シートＢを短辺方向に折り曲げて「く」又は「つ」字状の断面とし、前記既設屋根パネルの上縁部の表面と、前記既設屋根パネルの上流がわに隣接して設置される第２の新設屋根パネルの下縁部の裏面との間に、上流がわが凸となるように設置される第二継手片と、
（３）矩形状の耐候性シートＣを長辺方向に２回折り返して３重とし、さらに該耐候性シートＣの短辺方向に折り曲げた形状とされ、前記第一継手片の長手方向端部が該耐候性シートＣの短辺に接合され、前記第二継手片の長手方向端部が該耐候性シートＣの長辺に接合される接合片とを有することを特徴としている。
ここで、「表面」は外部に露出する屋根パネルの面であり、「裏面」は表面と反対がわの面である。
【手続補正３】
【補正対象書類名】明細書
【補正対象項目名】００１０
【補正方法】変更
【補正の内容】
【００１０】
また、本発明に係る屋根パネルの施工方法は、本発明に係る屋根パネル用継手部材を使用して、屋根面の一側方から他側方に向けて屋根パネルを設置すると共に、前記屋根面の下流から上流に向けて屋根パネルを設置する屋根パネルの施工方法であって、
既に設置した既設屋根パネルの他側方がわの上角部に前記接合片を固着する第一工程と、
前記既設屋根パネルの他側方がわ縁部の表面に、他側方がわが凸となるように前記第一継手片を設置して該第一継手片の長手方向端部を前記接合片に接合した後、前記既設屋根パネルの他側方がわに隣接して設置される第１の新設屋根パネルの一側方がわ縁部の裏面に前記第一継手片及び前記接合片を固着して該第１の新設屋根パネルを設置する第二工程と、
前記既設屋根パネルの上縁部の表面に、上流がわが凸となるように前記第二継手片を設置して該第二継手片の長手方向端部を前記接合片に接合した後、前記既設屋根パネルの上流がわに隣接して設置される第２の新設屋根パネルの下縁部の裏面に前記第二継手片及び前記接合片を固着して該第２の新設屋根パネルを設置する第三工程とを備えることを特徴としている。
【手続補正４】
【補正対象書類名】明細書
【補正対象項目名】００２５
【補正方法】変更
【補正の内容】
【００２５】
（７）第二継手片１５の前がわの下縁部１５ｕに接着剤を塗布した後、屋根パネル２５の下縁部が第二継手片１５の前に位置するように屋根パネル２５を配置し、第二継手片１５を屋根パネル２５の裏面に固着する（図８（７）参照）。屋根パネル２５の右下角部は接合片１９内に挿入する（図５（Ｂ）、（Ｄ）参照）。
（８）接合片１９と同様の手順により、接合片１９と同一形状の接合片２１を屋根パネル２５の右上角部に配置し接着剤で固着する（図８（８）参照）。
（９）右がわを凸とし、且つ凸部が屋根パネル２５の右側縁部に沿うように、第一継手片１２を屋根パネル２５の右側縁部に配置し、第一継手片１２の奥がわの左縁部１２ｄを屋根パネル２５に接着剤で固着する（図８（９）参照）。第一継手片１２の上端部は接合片２１の短辺２１ａに、第一継手片１２の下端部は接合片１９の短辺１９ｂにそれぞれ接着剤で固着する。
また、第二継手片１５と同様の手順により、第二継手片１５と同一形状の第二継手片１７の右端部を接合片２１の長辺２１ｃに接着剤で固着する（図８（９）参照）。